(57)【特許請求の範囲】
【請求項１】
現金自動預け払い機が有する貨幣に関する貨幣情報を受信する受信部と、
前記受信部によって受信された貨幣情報に基づいて前記現金自動預け払い機に貨幣を装填又は回収する要望を示す貨幣要望を、貨幣の運用を行なう運用サービスに登録された登録者に公開する公開部と、
前記公開部によって公開された貨幣要望に応じて登録者が前記現金自動預け払い機に装填又は回収した貨幣に対応する資金を、前記運用サービスを提供する運用業者の口座と当該登録者の口座との間で移動する処理を行なう移動処理部と、
前記公開部によって公開された貨幣要望に応じて前記現金自動預け払い機に貨幣を装填又は回収した登録者に対して報酬を付与する付与部と、
前記現金自動預け払い機によってカードから読み取られた口座番号に対応する会員番号を有する登録者が貨幣の装填又は回収の取引に応募している場合には、前記装填又は前記回収の取引用の画面を前記現金自動預け払い機に表示させる指示を前記現金自動預け払い機に送信する一方で、応募していない場合には、通常の取引用の画面を前記現金自動預け払い機に表示させる指示を前記現金自動預け払い機に送信する送信部と、
を備えたことを特徴とする運用サーバ。
【請求項２】
前記移動処理部は、
前記資金として、前記登録者が前記現金自動預け払い機に貨幣を装填した場合には、当該登録者が装填した貨幣の総額に対応する資金を前記運用業者の口座から当該登録者の口座へ入金する処理を行ない、前記現金自動預け払い機から貨幣を回収した場合には、当該登録者が回収した貨幣の総額に対応する資金を当該登録者の口座から前記運用業者の口座へ出金する処理を行なう
ことを特徴とする請求項１に記載の運用サーバ。
【請求項３】
前記公開部は、
前記貨幣要望として、前記現金自動預け払い機に装填又は回収する貨幣の額、要望の緊急度合い、前記現金自動預け払い機の設置場所又は前記報酬の額に関する情報を、前記登録者に公開する
ことを特徴とする請求項１または２に記載の運用サーバ。
【請求項４】
前記付与部は、
前記運用サービスが有する口座から前記登録者の口座に前記報酬を入金する
ことを特徴とする請求項１〜３のいずれか一つに記載の運用サーバ。
【請求項５】
前記付与部は、
前記報酬として、前記現金自動預け払い機に装填又は回収した額に応じた手数料を前記登録者の口座に入金する
ことを特徴とする請求項１〜４のいずれか一つに記載の運用サーバ。
【請求項６】
運用サーバが実行する運用方法であって、
現金自動預け払い機が有する貨幣に関する貨幣情報を受信する受信工程と、
前記受信工程によって受信された貨幣情報に基づいて前記現金自動預け払い機に貨幣を装填又は回収する要望を示す貨幣要望を、貨幣の運用を行なう運用サービスに登録された登録者に公開する公開工程と、
前記公開工程によって公開された貨幣要望に応じて登録者が前記現金自動預け払い機に装填又は回収した貨幣に対応する資金を、前記運用サービスを提供する運用業者の口座と当該登録者の口座との間で移動する処理を行なう移動処理工程と、
前記公開工程によって公開された貨幣要望に応じて前記現金自動預け払い機に貨幣を装填又は回収した登録者に対して報酬を付与する付与工程と、
前記現金自動預け払い機によってカードから読み取られた口座番号に対応する会員番号を有する登録者が貨幣の装填又は回収の取引に応募している場合には、前記装填又は前記回収の取引用の画面を前記現金自動預け払い機に表示させる指示を前記現金自動預け払い機に送信する一方で、応募していない場合には、通常の取引用の画面を前記現金自動預け払い機に表示させる指示を前記現金自動預け払い機に送信する送信工程と、
を含んだことを特徴とする運用方法。
【請求項７】
現金自動預け払い機が有する貨幣に関する貨幣情報を受信する受信手順と、
前記受信手順によって受信された貨幣情報に基づいて前記現金自動預け払い機に貨幣を装填又は回収する要望を示す貨幣要望を、貨幣の運用を行なう運用サービスに登録された登録者に公開する公開手順と、
前記公開手順によって公開された貨幣要望に応じて登録者が前記現金自動預け払い機に装填又は回収した貨幣に対応する資金を、前記運用サービスを提供する運用業者の口座と当該登録者の口座との間で移動する処理を行なう移動処理手順と、
前記公開手順によって公開された貨幣要望に応じて前記現金自動預け払い機に貨幣を装填又は回収した登録者に対して報酬を付与する付与手順と、
前記現金自動預け払い機によってカードから読み取られた口座番号に対応する会員番号を有する登録者が貨幣の装填又は回収の取引に応募している場合には、前記装填又は前記回収の取引用の画面を前記現金自動預け払い機に表示させる指示を前記現金自動預け払い機に送信する一方で、応募していない場合には、通常の取引用の画面を前記現金自動預け払い機に表示させる指示を前記現金自動預け払い機に送信する送信手順と、
をコンピュータに実行させることを特徴とする運用プログラム。
【発明の詳細な説明】
【技術分野】
【０００１】
本発明は、運用サーバ、運用方法および運用プログラムに関する。
【背景技術】
【０００２】
近年、現金自動預け払い機（以下、ＡＴＭ（Automated  Teller  Machine））は、設置店舗の来客数を増やすツールとして、コンビニエンスストアやドラッグストアなどの流通店舗や駅などといった人が集まる場所へ設置箇所が拡大している。一方で、ＡＴＭの設置拡大に対する要望は、利用者の取引件数の増加と比較して相対的に多いという現状がある。このため、利用件数が少ない場所にＡＴＭを設置することもあり、赤字運用となるＡＴＭが増加している。したがって、ＡＴＭの運用においては、コストダウンが求められている。
【先行技術文献】
【特許文献】
【０００３】
【特許文献１】特開２００３−２５６６４９号公報
【特許文献２】特開２０１５−２８８１４号公報
【特許文献３】特開２０１４−１７８９１９号公報
【発明の概要】
【発明が解決しようとする課題】
【０００４】
しかしながら、従来技術では、ＡＴＭの運用にかかる費用を抑制することができるとは限らなかった。例えば、従来技術では、ＡＴＭが装置内に保有する貨幣量に応じて業者を派遣することで貨幣の運用を行なう。この点について、図１を用いて説明する。図１は、ＡＴＭの貨幣運用の一例を示す図である。図１に示すように、ＡＴＭ５は、ネットワークＮを介して監視センタ１５に接続される。ここで、ＡＴＭ５は、ネットワークＮを介して、ＡＴＭ５が装置内に保有する貨幣の量に関する情報を監視センタ１５に定期的に通知する。そして、監視センタ１５は、例えば、ＡＴＭ５の装置内の貨幣が所定の量より少なくなった場合に、貨幣をＡＴＭ５に補充する警送指示を警送センタ２５に通知する。その後、警送センタ２５は、通知された警送指示に基づいて、貨幣を運搬する警送車３５を金融機関４５に派遣する。ここで、警送車３５には、一般的に、貨幣の運搬作業を実施する複数名の係員が乗車する。そして、警送車３５に乗車する係員は、金融機関４５から貨幣を受け取る。その後、警送車３５に乗車する係員は、受け取った貨幣をＡＴＭ５に装填する。なお、ＡＴＭ５の貨幣の運用では、ＡＴＭ５の設置場所や貨幣の過去の入出動向に基づいて運用計画が事前に立てられ、かかる計画に従って定期的にＡＴＭ５に貨幣の装填を行なうことが多い。
【０００５】
上記の従来技術では、例えば、ＡＴＭ５が設置されている場所の周辺でイベントなどが開催されると突発的に利用者が多くなり、ＡＴＭ５の装置内の貨幣が不足する場合がある。このような場合には、複数の係員が乗車する警送車３５を緊急に派遣して貨幣をＡＴＭ５に装填する必要があるため、運用費用の中で高額な緊急警送費用が発生する。このようなことから、上記の従来技術では、ＡＴＭの運用にかかる費用を抑制することができるとは限らなかった。
【０００６】
本願は、上記に鑑みてなされたものであって、ＡＴＭの運用にかかる費用を抑制することができる運用サーバ、運用方法および運用プログラムを提供することを目的とする。
【課題を解決するための手段】
【０００７】
本願に係る運用サーバは、現金自動預け払い機が有する貨幣に関する貨幣情報を受信する受信部と、前記受信部によって受信された貨幣情報に基づいて前記現金自動預け払い機に貨幣を装填又は回収する要望を示す貨幣要望を、貨幣の運用を行なう運用サービスに登録された登録者に公開する公開部と、前記公開部によって公開された貨幣要望に応じて登録者が前記現金自動預け払い機に装填又は回収した貨幣に対応する資金を、前記運用サービスを提供する運用業者の口座から当該登録者の口座に移動する処理を行なう移動処理部と、前記公開部によって公開された貨幣要望に応じて前記現金自動預け払い機に貨幣を装填又は回収した登録者に対して報酬を付与する付与部とを備えたことを特徴とする。
【発明の効果】
【０００８】
実施形態の一態様によれば、ＡＴＭの運用にかかる費用を抑制することができるという効果を奏する。
【図面の簡単な説明】
【０００９】
【図１】図１は、ＡＴＭの貨幣運用の一例を示す図である。
【図２】図２は、運用システム全体の概略構成の一例を示す図である。
【図３】図３は、運用サーバの機能的な構成の一例を示す図である。
【図４】図４は、会員情報のデータ構成の一例を示す図である。
【図５】図５は、貨幣情報のデータ構成の一例を示す図である。
【図６】図６は、設定時の取引情報のデータ構成の一例を示す図である。
【図７】図７は、取引後の取引情報のデータ構成の一例を示す図である。
【図８】図８は、募集画面の一例を示す図である。
【図９】図９は、登録処理の手順の一例を示すフローチャートである。
【図１０】図１０は、装填処理の流れを説明するための説明図である。
【図１１】図１１は、取引処理の手順の一例を示すフローチャートである。
【図１２】図１２は、取引後の取引情報のデータ構成の一例を示す図である。
【図１３】図１３は、取引後の会員情報のデータ構成の一例を示す図である。
【図１４】図１４は、精算処理の手順の一例を示すフローチャートである。
【図１５】図１５は、装填処理の手順の一例を示すフローチャートである。
【図１６】図１６は、移動処理の手順の一例を示すフローチャートである。
【図１７】図１７は、回収処理の流れを説明するための説明図である。
【図１８】図１８は、取引処理の手順の一例を示すフローチャートである。
【図１９】図１９は、回収処理の手順の一例を示すフローチャートである。
【図２０】図２０は、移動処理の手順の一例を示すフローチャートである。
【図２１】図２１は、変形例に係る運用システム全体の概略構成の一例を示す図である。
【図２２】図２２は、運用プログラムを実行するコンピュータを示す図である。
【発明を実施するための形態】
【００１０】
以下に、本願に係る運用サーバ、運用方法および運用プログラムを実施するための形態（以下、「実施形態」と呼ぶ）について図面を参照しつつ詳細に説明する。なお、この実施形態により本願に係る運用サーバ、運用方法および運用プログラムが限定されるものではない。また、以下の実施形態において同一の部位には同一の符号を付し、重複する説明は省略される。
【００１１】
〔１．実施形態〕
〔１−１．実施形態に係る運用システムの構成〕
実施形態に係る運用システムについて説明する。図２は、運用システム全体の概略構成の一例を示す図である。運用システム１は、ＡＴＭが有する資金を運用する運用サービスを提供する。例えば、運用システム１では、金融機関とは別の業者であるサービス業者が運用サービスを提供する。
【００１２】
図２に示すように、運用システム１は、ＡＴＭ５Ａ〜５Ｄと、運用サーバ１００と、金融機関ホスト１０Ａ〜１０Ｂとを有する。ＡＴＭ５Ａ〜５Ｄ、運用サーバ１００、金融機関ホスト１０Ａ〜１０Ｂは、それぞれネットワークＮと有線または無線により通信可能に接続される。ここで、ＡＴＭ５Ａ〜５Ｄは、運用サーバ１００を経由して金融機関ホスト１０Ａ〜１０Ｂに接続される。そして、ＡＴＭ５Ａ〜５Ｄは、運用サーバ１００を介して、運用状態や取引状態に関する情報を、金融機関ホスト１０Ａ〜１０Ｂとの間で送受信する。なお、以下では、ＡＴＭ５Ａ〜５Ｄの各装置を区別なく総称する場合には、「ＡＴＭ５」と記載する場合がある。また、金融機関ホスト１０Ａ〜１０Ｂの各装置を区別なく総称する場合には、「金融機関ホスト１０」と記載する場合がある。
【００１３】
ＡＴＭ５は、現金の入出金などのサービスを利用者（例えば、顧客）に提供する装置である。具体的には、ＡＴＭ５は、現金（例えば、紙幣や硬貨といった貨幣）、通帳、磁気カード等の受入口及び支払口や、取引に関する取引操作を利用者から受け付ける受付部、金融機関ホスト１０や運用サーバ１００と通信を行なう通信部などを有する。例えば、ＡＴＭ５は、受付部によって所定の取引操作を利用者から受け付けた場合に、通信部を介して金融機関や貸金業者などの提供するサービスの取引を実行する。本実施例では、ＡＴＭ５は、ＡＴＭ５に貨幣を装填したり、ＡＴＭ５から貨幣を回収したりする運用サービスの取引を実行する。
【００１４】
金融機関ホスト１０は、金融機関が有するホストコンピュータである。具体的には、金融機関ホスト１０は、金融機関が提供するサービスの利用者に関する情報を管理する。例えば、金融機関ホスト１０は、利用者が有する口座の預金残高をリアルタイムに更新して保持する。本実施例では、金融機関ホスト１０は、要望に応じた登録者の口座に入金される報酬の記録などを行なう。
【００１５】
ところで、ＡＴＭ５は、例えば金融機関の店舗や小売店、公共施設などに設置される。ここで、ＡＴＭ５は、設置されている場所の周辺でイベントなどが開催されると突発的に利用者が多くなるため貨幣の出金量が増加するので、ＡＴＭ５の装置内の貨幣が不足する場合がある。このような場合には、複数の係員が乗車する警送車３５を緊急に派遣して貨幣をＡＴＭ５に装填する必要があるため、作業費として高額な緊急警送費用が発生してしまう可能性がある。また、ＡＴＭ５の装置内の貨幣量が最大許容量に近い場合には、ＡＴＭ５から貨幣を回収する必要があるため、緊急警送費用が発生してしまう可能性がある。したがって、ＡＴＭの運用にかかる費用を抑制することができないという問題がある。そこで、後述する運用サーバ１００は、ＡＴＭ５の資金を運用する運用サービスを提供する。
【００１６】
運用サーバ１００は、ＡＴＭ５に貨幣を装填又は回収させる運用サービスを提供するサーバ装置である。具体的には、運用サーバ１００は、ＡＴＭ５が装置内に保有する貨幣に関する貨幣情報に基づいてＡＴＭ５に貨幣を装填又は回収する要望を公開し、要望に応じた登録者に対して報酬を付与する。例えば、運用サーバ１００は、ネットワークＮを介して、ＡＴＭ５から貨幣情報を受信する。そして、運用サーバ１００は、運用サービスに予め登録された登録者に要望を公開する。その後、運用サーバ１００は、公開された貨幣要望に応じて登録者がＡＴＭ５に装填又は回収した貨幣に対応する資金を、運用サービスを提供する運用業者の口座から登録者の口座に移動する処理を行なう。また、運用サーバ１００は、金融機関ホスト１０と通信を行ない、公開された要望に応じてＡＴＭ５に貨幣を装填又は回収した登録者の口座に報酬を入金する。これにより、運用サーバ１００は、ＡＴＭ５に貨幣を装填又は回収させる取引を登録者に積極的に行わせることができるので、ＡＴＭの運用にかかる費用を抑制することができる。
【００１７】
なお、図２では、説明を簡単にするため、運用システム１に、４台のＡＴＭ５Ａ〜５Ｄと、２台の金融機関ホスト１０Ａ〜１０Ｂとが含まれる例を示したが、実際には４台のＡＴＭ５に限らず複数台のＡＴＭ５と、２台に限らず複数台の金融機関ホスト１０とが含まれる。また、図２では、運用システム１に、１台の運用サーバ１００が含まれる例を示したが、運用システム１には、複数台の運用サーバ１００が含まれてもよい。
【００１８】
〔１−２．実施形態に係る運用サーバの構成〕
次に、図３を用いて、実施形態に係る運用サーバ１００の構成について説明する。図３は、実施形態に係る運用サーバ１００の構成例を示す図である。図３に示すように、運用サーバ１００は、通信部１１０と、記憶部１２０と、制御部１３０とを有する。なお、運用サーバ１００は、運用サーバ１００を利用する管理者等から各種操作を受け付ける入力部（例えば、キーボードやマウス等）や、各種情報を表示するための表示部（例えば、液晶ディスプレイ等）を有してもよい。
【００１９】
（通信部１１０について）
通信部１１０は、例えば、ＮＩＣ等によって実現される。通信部１１０は、ネットワークＮと有線または無線で接続され、ネットワークＮを介して、ＡＴＭ５や金融機関ホスト１０との間で情報の送受信を行う。例えば、通信部１１０は、ＡＴＭ５との間で、ＡＴＭ５が有する貨幣に関する貨幣情報の送受信を行う。また、通信部１１０は、金融機関ホスト１０との間で、登録者に付与する報酬に関する情報の送受信を行う。
【００２０】
（記憶部１２０について）
記憶部１２０は、例えば、ＲＡＭ（Random  Access  Memory)、フラッシュメモリ（Flash  Memory）等の半導体メモリ素子、または、ハードディスク、光ディスク等の記憶装置によって実現される。記憶部１２０は、会員情報記憶部１２１と、貨幣情報記憶部１２２と、取引情報記憶部１２３とを有する。
【００２１】
（会員情報記憶部１２１について）
会員情報記憶部１２１は、貨幣の運用を行なう運用サービスに登録された登録者に関する情報を記憶する。具体的には、会員情報記憶部１２１は、登録者毎に、登録者の連絡先や口座などに関する情報を記憶する。ここで、図４に、実施形態に係る会員情報記憶部１２１の一例を示す。図４に示すように、会員情報記憶部１２１は、「会員番号」、「メールアドレス」、「連絡先」、「口座番号」および「手数料」といった項目を有する。
【００２２】
「会員番号」は、登録者を識別するための識別情報を示す。例えば、「会員番号」は、登録者毎にユニークな番号が付与される。「メールアドレス」は、登録者が所有するメールアドレスを示す。「連絡先」は、登録者の電話番号を示す。「口座番号」は、登録者が所有する口座の識別番号を示す。「口座番号」に記憶された番号の口座には、後述の「手数料」に記憶された額が入金される。例えば、「メールアドレス」、「連絡先」及び「口座番号」には、登録者によって設定された文字列が記憶される。「手数料」は、登録者に付与される報酬を示す。例えば、「手数料」には、報酬として、登録者がＡＴＭ５に装填又は回収した額に応じた手数料が記憶される。なお、登録者に付与する報酬が現時点で存在しない場合には、「手数料」はブランクとなる。
【００２３】
すなわち、図４では、会員番号「００１」によって識別される登録者は、メールアドレス「xxxxx@xxx.ne.jp」である例を示している。また、会員番号「００１」によって識別される登録者は、連絡先「0X0-1234-1234」である例を示している。また、会員番号「００１」によって識別される登録者は、口座番号「000X-001-12345678」である例を示している。また、会員番号「００１」によって識別される登録者には、報酬として付与される手数料が現時点では存在しないことを示す。なお、会員情報の各項目は、例えば、Ｗｅｂ上の登録画面でユーザが所定の項目を入力することで登録される。
【００２４】
（貨幣情報記憶部１２２について）
貨幣情報記憶部１２２は、ＡＴＭ５が有する貨幣に関する情報を記憶する。具体的には、貨幣情報記憶部１２２は、運用システム１が管理するＡＴＭ毎に、ＡＴＭ５が装置内に備える貨幣の量と状況などを記憶する。ここで、図５に、実施形態に係る貨幣情報記憶部１２２の一例を示す。図５に示すように、貨幣情報記憶部１２２は、「管理ＡＴＭ」、「装置内資金」および「状況」といった項目を有する。
【００２５】
「管理ＡＴＭ」は、運用システム１が管理するＡＴＭ５を識別するための識別情報を示す。例えば、「管理ＡＴＭ」は、ＡＴＭ５の名称や識別番号が記憶される。「装置内資金」は、ＡＴＭ５が装置内に有する貨幣ごとの量を示す。例えば、「装置内資金」の「万円」には、ＡＴＭ５が装置内に有する１万円札の枚数が記憶される。「装置内資金」の「千円」には、ＡＴＭ５が装置内に有する１０００円札の枚数が記憶される。「状況」は、ＡＴＭ５が装置内に有する貨幣量の状況を示す。例えば、「状況」には、「枯渇」、「不足」、「正常」、「過多」といった現時点での貨幣量のステータスを示す文字列が記憶される。一例としては、「枯渇」は、貨幣量が非常に少なく早急に貨幣を装填すべき状況を意味する。「不足」は、貨幣量が少なく貨幣を装填すべき状況を意味する。「正常」は、貨幣量に特に問題がなく装填または回収する必要がないことを意味する。「過多」は、貨幣量が最大許容量に近く貨幣を回収すべき状況を意味する。
【００２６】
すなわち、図５では、管理ＡＴＭ「ＡＴＭ１」は、装置内の１万円札の枚数が「１００」である例を示している。また、管理ＡＴＭ「ＡＴＭ１」は、装置内の１０００円札の枚数が「３００」である例を示している。また、管理ＡＴＭ「ＡＴＭ１」は、装置内の貨幣量が不足している例を示している。
【００２７】
（取引情報記憶部１２３について）
取引情報記憶部１２３は、ＡＴＭ５に貨幣を装填又は回収する取引に関する情報を記憶する。具体的には、取引情報記憶部１２３は、取引毎に、装填又は回収といった取引に応募した登録者に関する情報や取引を行なうＡＴＭ、取引内容、取引期限に関する情報を記憶する。ここで、図６に、実施形態に係る設定時の取引情報記憶部１２３の一例を示す。すなわち、図６は、ＡＴＭ５に対して装填や回収といった取引に関する情報が設定されたもののまだ取引が行われていない時点での取引情報記憶部１２３の一例を示す。図６に示すように、取引情報記憶部１２３は、「会員番号」、「対象装置」、「取引内容」、「取引期限」、「時刻」、「万円」、「千円」および「手数料」といった項目を有する。
【００２８】
「会員番号」は、登録者を識別するための識別情報を示す。例えば、「会員番号」には、ＡＴＭ５に貨幣を装填又は回収する取引に応募した登録者を識別する識別番号が記憶される。「対象装置」は、貨幣の装填又は回収を行なう対象となるＡＴＭ５を識別するための識別情報を示す。例えば、「対象装置」には、ＡＴＭ５の名称や識別番号が記憶される。「取引内容」は、ＡＴＭ５に対して行う取引の内容を示す。例えば、「取引内容」には、「装填」又は「回収」といった取引の内容が記憶される。ここで、「装填」は、ＡＴＭ５に貨幣を装填する取引を意味する。「回収」は、ＡＴＭ５から貨幣を回収する取引を意味する。「取引期限」は、登録者が対象装置であるＡＴＭ５に対して取引を行なう期限を示す。例えば、「取引期限」は、装填又は回収を行なう期限となる日付及び時刻が記憶される。「時刻」は、対象装置であるＡＴＭ５に対して取引が行われた時刻が記憶される。例えば、「時刻」には、ＡＴＭ５に装填又は回収を行なった日付及び時刻が記憶される。「万円」及び「千円」は、対象装置であるＡＴＭ５に対して取引を行なった金額が記憶される。例えば、「万円」及び「千円」には、ＡＴＭ５に装填又は回収を行なった１万円札及び１０００円札の額が記憶される。なお、取引が現時点で行われていない場合には、「時刻」、「万円」及び「千円」はブランクとなる。「手数料」は、取引を行なった登録者に対して付与する報酬を示す。例えば、「手数料」には、取引の金額に応じた手数料が記憶される。一例としては、取引前の「手数料」には、取引の金額に対する手数料のレートが記憶される。一方、取引後の「手数料」には、取引に対する手数料の総額が記憶される。
【００２９】
すなわち、図６では、会員番号「００１」によって識別される登録者には、対象装置「ＡＴＭ１」に対して貨幣を「装填」する取引が設定された例を示している。また、かかる取引の期限は、「３月２８日  １６：００」である例を示している。また、かかる取引の手数料は、「装填額１万円あたり１０円」である例を示している。また、かかる取引は、現時点では行われていない例を示している。
【００３０】
他の例として、図７に、実施形態に係る取引後の取引情報記憶部１２３の一例を示す。すなわち、図７は、取引に応募した登録者がＡＴＭ５に対して取引を行なった取引後の時点での取引情報記憶部１２３の一例を示す。
【００３１】
すなわち、図７では、会員番号「００１」によって識別される登録者は、対象装置「ＡＴＭ１」に対して貨幣「１００万円」を「装填」する取引を時刻「１５：４０」に行なった例を示している。また、会員番号「００１」によって識別される登録者には、かかる取引に対する手数料として「１０００円」が支払われる例を示している。
【００３２】
（制御部１３０について）
制御部１３０は、例えば、ＣＰＵ（Central  Processing  Unit）やＭＰＵ（Micro  Processing  Unit）等によって、運用サーバ１００内部の記憶装置に記憶されている各種プログラム（運用プログラムの一例に相当）がＲＡＭを作業領域として実行されることにより実現される。また、制御部１３０は、例えば、ＡＳＩＣ（Application  Specific  Integrated  Circuit）やＦＰＧＡ（Field  Programmable  Gate  Array）等の集積回路により実現される。
【００３３】
制御部１３０は、図３に示すように、受信部１３１と、公開部１３２と、移動処理部１３３と、付与部１３４と、送信部１３５とを有し、以下に説明する情報処理の機能や作用を実現または実行する。なお、制御部１３０の内部構成は、図３に示した構成に限られず、後述する運用処理を行う構成であれば他の構成であってもよい。また、制御部１３０が有する各処理部の接続関係は、図３に示した接続関係に限られず、他の接続関係であってもよい。
【００３４】
（受信部１３１について）
受信部１３１は、ＡＴＭ５や金融機関ホスト１０から各種の情報を受信する。具体的には、受信部１３１は、ＡＴＭ５が有する貨幣に関する貨幣情報を受信する。例えば、受信部１３１は、貨幣情報として、ＡＴＭ５が現在有する貨幣ごとの量をＡＴＭ５から定期的に受信する。そして、受信部１３１は、ＡＴＭ５から貨幣情報を受信した場合に、受信した貨幣情報を貨幣情報記憶部１２２に格納する。例えば、受信部１３１は、貨幣情報をＡＴＭ５に対応付けて貨幣情報記憶部１２２に格納する。
【００３５】
また、受信部１３１は、取引に関する取引情報を受信する。例えば、受信部１３１は、取引情報として、ＡＴＭ５に対して装填又は回収された時刻、１万円札及び１０００円札の枚数に関する情報をＡＴＭ５から受信する。そして、受信部１３１は、ＡＴＭ５から取引情報を受信した場合に、受信した取引情報を取引情報記憶部１２３に格納する。例えば、受信部１３１は、取引情報を、取引を行なった登録者の会員番号に対応付けて取引情報記憶部１２３に格納する。また、受信部１３１は、ＡＴＭ５に対して装填又は回収された金額に基づいて手数料を算出し、取引情報記憶部１２３の「手数料」の項目を更新する。また、受信部１３１は、登録者に付与した報酬に関する情報を金融機関ホスト１０から受信する。例えば、受信部１３１は、登録者の口座に報酬を入金した旨を示す完了通知を金融機関ホスト１０から受信する。また、受信部１３１は、利用者によって挿入されたカードから読み取られた口座番号をＡＴＭ５から受信する。
【００３６】
（公開部１３２について）
公開部１３２は、取引の要望を公開する。具体的には、公開部１３２は、受信部１３１によって受信された貨幣情報に基づいてＡＴＭ５に貨幣を装填又は回収する要望を示す貨幣要望を、貨幣の運用を行なう運用サービスに登録された登録者に公開する。例えば、公開部１３２は、貨幣要望として、ＡＴＭ５に装填又は回収する貨幣の額、要望の緊急度合い、ＡＴＭ５の設置場所又は報酬の額に関する情報を、登録者に公開する。
【００３７】
一例としては、公開部１３２は、貨幣要望を表示して取引者を募集する募集画面をＷｅｂサイト上に公開する。ここで、図８を用いて募集画面について説明する。図８は、募集画面の一例を示す図である。公開部１３２は、図８に示すような募集画面Ｗｓ１を公開する。募集画面Ｗｓ１には、取引の対象となるＡＴＭの名称「ＡＴＭ１」と、取引内容「装填」と、ＡＴＭの設置場所「新宿区  ｘ１丁目ｘ１番地」と、手数料「１０円／１万円」とが表示される。また、募集画面Ｗｓ１には、ＡＴＭの装置内の貨幣量が枯渇しており緊急に貨幣を装填する必要がある場合には、図８に示すように「緊急」の文字が併せて表示される。この場合、図８に示すように、「ＡＴＭ４」の手数料は、相対的に高い「２０円／１万円」となる。例えば、公開部１３２は、募集画面Ｗｓ１を、登録者のみ閲覧可能なＷｅｂページ上に公開する。そして、募集画面Ｗｓ１を閲覧した登録者は、募集されている取引を選択することで応募し、かかる取引を実行することで手数料を受け取ることができる。他の例では、公開部１３２は、募集画面Ｗｓ１の内容が記載されたメールを登録者のメールアドレスに配信することで公開してもよい。
【００３８】
（移動処理部１３３について）
移動処理部１３３は、移動する処理を行なう。具体的には、移動処理部１３３は、公開部１３２によって公開された貨幣要望に応じて登録者がＡＴＭ５に装填又は回収した貨幣に対応する資金を、運用サービスを提供する運用業者の口座から登録者の口座に、もしくは登録者の口座から運用業者の口座へ移動する処理を行なう。
【００３９】
例えば、移動処理部１３３は、資金として、登録者がＡＴＭ５に貨幣を装填した場合には、登録者が装填した貨幣の総額に対応する資金を運用業者の口座から登録者の口座へ移動する処理を行なう。一例としては、移動処理部１３３は、まず、会員情報記憶部１２１を参照し、ＡＴＭ５に貨幣を装填する貨幣要望に応じた登録者の口座を特定する。続いて、移動処理部１３３は、運用業者の口座から、特定した登録者の口座へ、登録者が装填した貨幣の総額に対応する資金を振り込ませる指示を送信する。そして、移動処理部１３３は、運用業者の口座から登録者の口座へ資金が正常に振り込まれた場合に、取引情報記憶部１２３の「取引内容」を更新する。
【００４０】
一方、移動処理部１３３は、ＡＴＭ５から貨幣を回収した場合には、登録者が回収した貨幣の総額に対応する資金を登録者の口座から運用業者の口座へ移動する処理を行なう。一例としては、移動処理部１３３は、まず、会員情報記憶部１２１を参照し、ＡＴＭ５から貨幣を回収する貨幣要望に応じた登録者の口座を特定する。続いて、移動処理部１３３は、特定した登録者の口座から運用業者の口座へ、登録者が回収した貨幣の総額に対応する資金を振り込ませる指示を送信する。そして、移動処理部１３３は、登録者の口座から運用業者の口座へ資金が正常に振り込まれた場合に、取引情報記憶部１２３の「取引内容」を更新する。
【００４１】
これにより、運用サーバ１００は、例えば、Ｂ行の口座を有する登録者によってＡ行のＡＴＭで取引が行われた場合でも、異なる銀行間の取引による手数料が登録者に発生することを防ぐことができる。このため、運用サーバ１００は、ＡＴＭの運用にかかる費用を抑制することができる
【００４２】
（付与部１３４について）
付与部１３４は、取引に対する報酬を登録者に付与する。具体的には、付与部１３４は、公開部１３２によって公開された貨幣要望に応じてＡＴＭ５に貨幣を装填又は回収した登録者に対して報酬を付与する。より具体的には、付与部１３４は、運用サービスを提供する運用業者が有する口座から登録者の口座に報酬を入金する。例えば、付与部１３４は、まず、会員情報記憶部１２１を参照し、貨幣要望に応じた登録者の口座と手数料とを特定する。続いて、付与部１３４は、特定した登録者の口座に手数料を振り込ませる指示を送信する。そして、付与部１３４は、登録者の口座に手数料が正常に振り込まれた場合に、会員情報記憶部１２１の「手数料」を更新する。一例としては、付与部１３４は、報酬として、ＡＴＭ５に装填又は回収した額に応じた手数料を登録者の口座に入金する。すなわち、付与部１３４は、ＡＴＭ５に装填又は回収した１万円札や１０００円札などの貨幣の量が多いほど高い手数料を登録者の口座に入金する。
【００４３】
（送信部１３５について）
送信部１３５は、ＡＴＭ５や金融機関ホスト１０に各種の情報を送信する。具体的には、送信部１３５は、登録者に付与する報酬に関する情報を金融機関ホスト１０に送信する。例えば、送信部１３５は、運用業者の口座から登録者の口座へ報酬を入金する指示を金融機関ホスト１０に送信する。これにより、登録者の口座には、報酬が振り込まれる。また、送信部１３５は、ＡＴＭ５に対する各種の指示を送信する。
【００４４】
〔１−３．実施形態に係る処理手順〕
［１−３−１．登録処理について］
まず、図９を用いて、実施形態に係る運用システム１による取引を登録する登録処理の手順について説明する。図９は、実施形態に係る運用システム１による登録処理の手順の一例を示すフローチャートである。
【００４５】
図９に示すように、運用サーバ１００は、ＡＴＭ５が有する貨幣に関する貨幣情報を受信する（ステップＳ１０１）。例えば、運用サーバ１００は、貨幣情報として、ＡＴＭ５が現在有する貨幣ごとの量をＡＴＭ５から定期的に受信する。
【００４６】
続いて、運用サーバ１００は、受信された貨幣情報に基づいてＡＴＭ５に貨幣を装填又は回収する要望を示す貨幣要望を、貨幣の運用を行なう運用サービスに登録された登録者に公開する（ステップＳ１０２）。例えば、運用サーバ１００は、貨幣要望を表示して取引者を募集する募集画面をＷｅｂサイト上に公開する。
【００４７】
その後、運用サーバ１００は、貨幣要望に応募するＷｅｂアクセスがあるか否かを判定する（ステップＳ１０３）。ここで、運用サーバ１００は、Ｗｅｂアクセスがない場合には（ステップＳ１０３；Ｎｏ）、ステップＳ１０１の処理に戻る。
【００４８】
一方、運用サーバ１００は、Ｗｅｂアクセスがあった場合には（ステップＳ１０３；Ｙｅｓ）、登録者情報を受け付ける（ステップＳ１０４）。その後、運用サーバ１００は、受け付けた登録者情報が登録されているか否かを判定する（ステップＳ１０５）。ここで、運用サーバ１００は、受け付けた登録者情報が登録されていない場合には（ステップＳ１０５；Ｎｏ）、未登録である旨を表示し（ステップＳ１０６）、ステップＳ１０１の処理に戻る。
【００４９】
一方、運用サーバ１００は、受け付けた登録者情報が登録されている場合には（ステップＳ１０５；Ｙｅｓ）、取引の対象装置の選択を受け付ける（ステップＳ１０７）。続いて、運用サーバ１００は、取引内容の選択を受け付ける（ステップＳ１０８）。
【００５０】
その後、運用サーバ１００は、取引内容の確認がされたか否かを判定する（ステップＳ１０９）。ここで、運用サーバ１００は、取引内容の確認がされていないと判定した場合には（ステップＳ１０９；Ｎｏ）、取引内容の確認を取消し（ステップＳ１１０）、ステップＳ１０１の処理に戻る。
【００５１】
一方、運用サーバ１００は、取引内容の確認がされたと判定した場合には（ステップＳ１０９；Ｙｅｓ）、取引期限を表示する（ステップＳ１１１）。これにより、登録者は、いつまでに取引を行なわなければならないか確認することができる。
【００５２】
その後、運用サーバ１００は、取引情報を登録する（ステップＳ１１２）。例えば、運用サーバ１００は、受け付けた対象装置、取引内容及び取引期限を、登録者の会員番号と対応付けて取引情報記憶部１２３に格納し、ステップＳ１０１の処理に戻る。
【００５３】
［１−３−２．装填処理について］
次に、図１０〜図１６を用いて、装填処理について説明する。図１０は、実施形態に係る運用システム１による装填処理の流れを説明するための説明図である。
【００５４】
図１０に示すように、まず、Ａ行のＡＴＭ５は、Ａ行とは異なる銀行であるＢ行のカードが登録者によって挿入されるとともに、貨幣が装填される（ステップＳ１０）。その後、運用サーバ１００は、公開された貨幣要望に応じて登録者がＡ行のＡＴＭ５に装填した貨幣に対応する額の資金を、Ａ行の資金運用口座から運用業者の口座に移動する出金処理を行なう（ステップＳ１１）。続いて、運用サーバ１００は、公開された貨幣要望に応じて登録者がＡ行のＡＴＭ５に装填した貨幣に対応する額の資金を、運用業者の口座から登録者のＢ行の口座に移動する入金処理を行なう（ステップＳ１２）。そして、運用サーバ１００は、装填取引が完了した旨を報告する完了報告をＡ行に対して行なう（ステップＳ１３）。
【００５５】
（取引処理について）
次に、図１１を用いて、実施形態に係る運用システム１による貨幣を装填する取引の処理の手順について説明する。図１１は、実施形態に係る運用システム１による取引処理の手順の一例を示すフローチャートである。
【００５６】
図１１に示すように、まず、ＡＴＭ５は、利用者によって挿入されたカードが有する磁気データから口座番号を読み取る（ステップＳ２０１）。続いて、ＡＴＭ５は、読み取った口座番号を運用サーバ１００に送信する（ステップＳ２０２）。
【００５７】
その後、運用サーバ１００は、取引情報記憶部１２３を参照し、受信した口座番号に対応する登録者の会員番号が取引情報に登録されているか否かを判定する（ステップＳ２０３）。ここで、運用サーバ１００は、取引情報に登録済みでないと判定した場合には（ステップＳ２０３；Ｎｏ）、ＡＴＭ５に通常の取引選択画面を表示させ（ステップＳ２０４）、通常のＡＴＭ取引処理を実行させる指示をＡＴＭ５に送信する（ステップＳ２０５）。
【００５８】
一方、運用サーバ１００は、取引情報に登録済みであると判定した場合には（ステップＳ２０３；Ｙｅｓ）、取引が期限時間内か否かを判定する（ステップＳ２０６）。ここで、運用サーバ１００は、取引が期限時間内でないと判定した場合には（ステップＳ２０６；Ｎｏ）、期限時間外である旨を表示させる指示をＡＴＭ５に送信し（ステップＳ２０７）、ステップＳ２０１の処理に戻る。
【００５９】
一方、運用サーバ１００は、期限時間内であると判定した場合には（ステップＳ２０６；Ｙｅｓ）、貨幣装填取引処理を実行する（ステップＳ２０８）。その後、運用サーバ１００は、実行した取引内容を取引情報に登録し（ステップＳ２０９）、ステップＳ２０１の処理に戻る。この点について、図１２〜図１３を用いて詳細に説明する。図１２は、取引後の取引情報のデータ構成の一例を示す図である。図１２に示すように、例えば、運用サーバ１００は、会員番号「００１」に対応する登録者が「ＡＴＭ１」に対して取引を行なった時刻「１５：４０」、装填した１万円札の枚数「１００」、１０００円札の枚数「０」、手数料「１０００円」を、取引情報記憶部１２３に登録する。図１３は、取引後の会員情報のデータ構成の一例を示す図である。図１３に示すように、例えば、運用サーバ１００は、会員番号「００１」に対応する登録者に付与する手数料「１０００円」を会員情報記憶部１２１に登録する。
【００６０】
（精算処理について）
次に、図１４を用いて、公開された貨幣要望に応じてＡＴＭ５に貨幣を装填又は回収した登録者に対して報酬を付与する精算処理の手順について説明する。図１４は、実施形態に係る運用システム１による精算処理の手順の一例を示すフローチャートである。
【００６１】
図１４に示すように、まず、運用サーバ１００は、会員情報記憶部１２１を参照し、会員を検索する（ステップＳ３０１）。続いて、運用サーバ１００は、取引情報記憶部１２３を参照し、検索した会員に取引があったか否かを判定する（ステップＳ３０２）。ここで、運用サーバ１００は、検索した会員に取引がなかったと判定した場合には（ステップＳ３０２；Ｎｏ）、次の会員を対象とした処理へ移行する（ステップＳ３０５）。
【００６２】
一方、運用サーバ１００は、検索した会員に取引があったと判定した場合には（ステップＳ３０２；Ｙｅｓ）、かかる会員の振り込み口座を確認する（ステップＳ３０３）。そして、運用サーバ１００は、かかる口座に手数料を振り込ませる指示を送信することで手数料の振り込みを実施する（ステップＳ３０４）。これにより、運用サーバ１００は、公開された貨幣要望に応じてＡＴＭ５に貨幣を装填又は回収した登録者に対して報酬を付与する。
【００６３】
その後、運用サーバ１００は、次の会員を対象とした処理へ移行する（ステップＳ３０５）。そして、会員情報記憶部１２１を参照し、登録された全ての会員について手数料の精算を完了したか否かを判定する（ステップＳ３０６）。ここで、運用サーバ１００は、登録された全ての会員について手数料の精算を完了したと判定した場合には（ステップＳ３０６；Ｙｅｓ）、精算処理を終了する。一方、運用サーバ１００は、登録された全ての会員について手数料の精算を完了していないと判定した場合には（ステップＳ３０６；Ｎｏ）、ステップＳ３０１の処理を再び実行する。
【００６４】
（貨幣装填取引処理について）
次に、図１５を用いて、図１１に示す貨幣装填取引について詳細に説明する。図１５は、実施形態に係る運用システム１による装填処理の手順の一例を示すフローチャートである。
【００６５】
図１５に示すように、まず、ＡＴＭ５は、装填取引画面を表示する（ステップＳ４０１）。続いて、ＡＴＭ５は、確認操作を受け付けたか否かを判定する（ステップＳ４０２）。ここで、ＡＴＭ５は、確認操作を受け付けていないと判定した場合には（ステップＳ４０２；Ｎｏ）、装置からカードを排出し利用者に返却する（ステップＳ４１１）。
【００６６】
一方、ＡＴＭ５は、確認操作を受け付けたと判定した場合には（ステップＳ４０２；Ｙｅｓ）、装填された貨幣の枚数を計る貨幣入金計数処理を実行する（ステップＳ４０３）。
【００６７】
続いて、ＡＴＭ５は、運用サーバ１００との間でセンタ通信を行ない、取引が取引情報に登録されていることを確認する（ステップＳ４０４）。そして、ＡＴＭ５は、取引の確認を完了したか否かを判定する（ステップＳ４０５）。ここで、ＡＴＭ５は、取引の確認を完了できなかったと判定した場合には（ステップＳ４０５；Ｎｏ）、装填された貨幣を返却するとともに（ステップＳ４１０）、カードを返却する（ステップＳ４１１）。
【００６８】
一方、ＡＴＭ５は、取引の確認を完了したと判定した場合には（ステップＳ４０５；Ｙｅｓ）、貨幣収納処理を実行する（ステップＳ４０６）。そして、運用サーバ１００は、移動処理を実行する（ステップＳ４０７）。その後、運用サーバ１００は、正常に処理が完了したか否かを判定する（ステップＳ４０８）。ここで、ＡＴＭ５は、正常に取引が完了できなかったと判定された場合には（ステップＳ４０８；Ｎｏ）、装填された貨幣を返却するとともに（ステップＳ４１０）、カードを返却する（ステップＳ４１１）。一方、ＡＴＭ５は、正常に取引が完了したと判定された場合には（ステップＳ４０８；Ｙｅｓ）、取引情報を更新し（ステップＳ４０９）、カードを返却し（ステップＳ４１１）、処理を終了する。
【００６９】
（移動処理について）
次に、図１６を用いて、図１５に示す移動処理について詳細に説明する。図１６は、実施形態に係る運用システム１による移動処理の手順の一例を示すフローチャートである。
【００７０】
図１６に示すように、まず、運用サーバ１００は、公開された貨幣要望に応じて登録者がＡ行のＡＴＭ５に装填した貨幣に対応する額の資金を、Ａ行の資金運用口座から運用業者の口座に移動する出金処理を行なう（ステップＳ５０１）。例えば、運用サーバ１００は、Ａ行の資金運用口座から運用業者の口座へ、登録者が装填した貨幣の総額に対応する資金を振り込ませる指示を送信する。続いて、運用サーバ１００は、公開された貨幣要望に応じて登録者がＡ行のＡＴＭ５に装填した貨幣に対応する額の資金を、運用業者の口座から登録者のＢ行の口座に移動する入金処理を行なう（ステップＳ５０２）。例えば、運用サーバ１００は、まず、会員情報記憶部１２１を参照し、ＡＴＭ５に貨幣を装填する貨幣要望に応じた登録者の口座を特定する。続いて、運用サーバ１００は、運用業者の口座から登録者のＢ行の口座へ、登録者が装填した貨幣の総額に対応する資金を振り込ませる指示を送信する。そして、運用サーバ１００は、運用業者の口座から登録者のＢ行の口座へ資金が正常に振り込まれた場合に、取引情報記憶部１２３の「取引内容」を更新する。また、運用サーバ１００は、装填取引が完了した旨を報告する完了報告をＡ行に対して行なう（ステップＳ５０３）。
【００７１】
［１−３−３．回収処理について］
次に、図１７〜図２０を用いて、回収処理について説明する。図１７は、実施形態に係る運用システム１による回収処理の流れを説明するための説明図である。
【００７２】
図１７に示すように、まず、Ａ行のＡＴＭ５は、Ａ行とは異なる銀行であるＢ行のカードが登録者によって挿入される（ステップＳ２０）。その後、運用サーバ１００は、公開された貨幣要望に応じて登録者がＡ行のＡＴＭ５から回収した貨幣に対応する額の資金を、登録者のＢ行の口座から運用業者の口座に移動する出金処理を行なう（ステップＳ２１）。続いて、運用サーバ１００は、公開された貨幣要望に応じて登録者がＡ行のＡＴＭ５から回収した貨幣に対応する額の資金を、運用業者の口座からＡ行の資金運用口座に移動する入金処理を行なう（ステップＳ２２）。そして、運用サーバ１００は、回収取引が完了した旨を報告する完了報告をＡ行に対して行なう（ステップＳ２３）。また、登録者は、Ａ行のＡＴＭ５から貨幣を回収する（ステップＳ２４）。
【００７３】
（取引処理について）
次に、図１８を用いて、実施形態に係る運用システム１による貨幣を回収する取引の処理の手順について説明する。図１８は、実施形態に係る運用システム１による取引処理の手順の一例を示すフローチャートである。
【００７４】
図１８に示すように、まず、ＡＴＭ５は、利用者によって挿入されたカードから口座番号を読み取る（ステップＳ６０１）。続いて、ＡＴＭ５は、読み取った口座番号を運用サーバ１００に送信する（ステップＳ６０２）。
【００７５】
その後、運用サーバ１００は、取引情報記憶部１２３を参照し、受信した口座番号に対応する登録者の会員番号が取引情報に登録されているか否かを判定する（ステップＳ６０３）。ここで、運用サーバ１００は、取引情報に登録済みでないと判定した場合には（ステップＳ６０３；Ｎｏ）、ＡＴＭ５に通常の取引選択画面を表示させ（ステップＳ６０４）、通常のＡＴＭ取引処理を実行させる指示をＡＴＭ５に送信する（ステップＳ６０５）。
【００７６】
一方、運用サーバ１００は、取引情報に登録済みであると判定した場合には（ステップＳ６０３；Ｙｅｓ）、取引が期限時間内か否かを判定する（ステップＳ６０６）。ここで、運用サーバ１００は、取引が期限時間内でないと判定した場合には（ステップＳ６０６；Ｎｏ）、期限時間外である旨を表示させる指示をＡＴＭ５に送信し（ステップＳ６０７）、ステップＳ６０１の処理に戻る。
【００７７】
一方、運用サーバ１００は、期限時間内であると判定した場合には（ステップＳ６０６；Ｙｅｓ）、貨幣回収取引処理を実行する（ステップＳ６０８）。その後、運用サーバ１００は、実行した取引内容を取引情報に登録し（ステップＳ６０９）、ステップＳ６０１の処理に戻る。
【００７８】
（貨幣回収取引処理について）
次に、図１９を用いて、図１８に示す貨幣回収取引について詳細に説明する。図１９は、実施形態に係る運用システム１による回収処理の手順の一例を示すフローチャートである。
【００７９】
図１９に示すように、まず、ＡＴＭ５は、回収取引画面を表示する（ステップＳ７０１）。続いて、ＡＴＭ５は、確認操作を受け付けたか否かを判定する（ステップＳ７０２）。ここで、ＡＴＭ５は、確認操作を受け付けていないと判定した場合には（ステップＳ７０２；Ｎｏ）、装置からカードを排出し利用者に返却する（ステップＳ７１１）。
【００８０】
一方、ＡＴＭ５は、確認操作を受け付けたと判定した場合には（ステップＳ７０２；Ｙｅｓ）、貨幣回収金額の入力を受け付ける（ステップＳ７０３）。続いて、ＡＴＭ５は、運用サーバ１００との間でセンタ通信を行ない、取引が取引情報に登録されていることを確認する（ステップＳ７０４）。そして、ＡＴＭ５は、取引の確認を完了したか否かを判定する（ステップＳ７０５）。ここで、ＡＴＭ５は、取引の確認を完了できなかったと判定した場合には（ステップＳ７０５；Ｎｏ）、カードを返却する（ステップＳ７１１）。
【００８１】
一方、ＡＴＭ５は、取引の確認を完了したと判定した場合には（ステップＳ７０５；Ｙｅｓ）、貨幣回収処理を実行する（ステップＳ７０６）。そして、運用サーバ１００は、移動処理を実行する（ステップＳ７０７）。その後、運用サーバ１００は、正常に処理が完了したか否かを判定する（ステップＳ７０８）。ここで、ＡＴＭ５は、正常に取引が完了できなかったと判定された場合には（ステップＳ７０８；Ｎｏ）、カードを返却する（ステップＳ７１１）。一方、ＡＴＭ５は、正常に取引が完了したと判定された場合には（ステップＳ７０８；Ｙｅｓ）、取引情報を更新し（ステップＳ７０９）、登録者に貨幣を回収させる（ステップＳ７１０）とともに、カードを返却し（ステップＳ７１１）、処理を終了する。
【００８２】
（移動処理について）
次に、図２０を用いて、図１９に示す移動処理について詳細に説明する。図２０は、実施形態に係る運用システム１による移動処理の手順の一例を示すフローチャートである。
【００８３】
図２０に示すように、まず、運用サーバ１００は、公開された貨幣要望に応じて登録者がＡ行のＡＴＭ５から回収した貨幣に対応する額の資金を、登録者のＢ行の口座から運用業者の口座に移動する出金処理を行なう（ステップＳ８０１）。例えば、運用サーバ１００は、まず、会員情報記憶部１２１を参照し、ＡＴＭ５から貨幣を回収する貨幣要望に応じた登録者の口座を特定する。続いて、運用サーバ１００は、特定した登録者のＢ行の口座から運用業者の口座へ、登録者が回収した貨幣の総額に対応する資金を振り込ませる指示を送信する。続いて、運用サーバ１００は、公開された貨幣要望に応じて登録者がＡ行のＡＴＭ５から回収した貨幣に対応する額の資金を、運用業者の口座からＡ行の資金運用口座に移動する入金処理を行なう（ステップＳ８０２）。例えば、運用サーバ１００は、運用業者の口座からＡ行の資金運用口座へ、登録者が回収した貨幣の総額に対応する資金を振り込ませる指示を送信する。そして、運用サーバ１００は、運用業者の口座からＡ行の資金運用口座へ資金が正常に振り込まれた場合に、取引情報記憶部１２３の「取引内容」を更新する。また、そして、運用サーバ１００は、回収取引が完了した旨を報告する完了報告をＡ行に対して行なう（ステップＳ８０３）。
【００８４】
〔１−４．実施形態の効果〕
上述してきたように、実施形態に係る運用サーバ１００は、受信部１３１と、公開部１３２と、移動処理部１３３と、付与部１３４とを有する。受信部１３３は、ＡＴＭが有する貨幣に関する貨幣情報を受信する。公開部１３２は、受信部１３１によって受信された貨幣情報に基づいてＡＴＭに貨幣を装填又は回収する要望を示す貨幣要望を、貨幣の運用を行なう運用サービスに登録された登録者に公開する。移動処理部１３３は、公開部１３２によって公開された貨幣要望に応じて登録者がＡＴＭに装填又は回収した貨幣に対応する資金を、運用サービスを提供する運用業者の口座から登録者の口座に移動する処理を行なう。付与部１３４は、公開部１３２によって公開された貨幣要望に応じてＡＴＭに貨幣を装填又は回収した登録者に対して報酬を付与する。
【００８５】
これにより、運用サーバ１００は、サービスに事前に登録されている登録者に取引を積極的に行わせることができるので、ＡＴＭの運用にかかる費用を抑制することができる。例えば、運用サーバ１００は、登録者によって、装置内の貨幣が少ないＡＴＭに貨幣を装填させたり貨幣が多いＡＴＭから貨幣を回収させたりすることができるので、警送車を緊急に派遣することで発生する警送費用を削減することができる。このため、運用サーバ１００は、ＡＴＭの運用にかかるコストを削減することができる。また、運用サーバ１００は、要望に応じた登録者への報酬を警送費用より低く設定することでＡＴＭの運用にかかるコストを抑制することができる。また、運用サーバ１００は、ＡＴＭが装置内に保有する貨幣の量を所定の範囲内に維持することができる。
【００８６】
また、実施形態に係る運用サーバ１００において、移動処理部１３３は、資金として、登録者がＡＴＭ５に貨幣を装填した場合には、登録者が装填した貨幣の総額に対応する資金を運用業者の口座から登録者の口座へ入金する処理を行なう。一方、移動処理部１３３は、ＡＴＭ５から貨幣を回収した場合には、登録者が回収した貨幣の総額に対応する資金を登録者の口座から運用業者の口座へ出金する処理を行なう。
【００８７】
これにより、運用サーバ１００は、例えば、Ｂ行の口座を有する登録者によってＡ行のＡＴＭで取引が行われた場合でも、異なる銀行間の取引による手数料が登録者に発生することを防ぐことができるので、ＡＴＭの運用にかかる費用を抑制することができる。
【００８８】
また、実施形態に係る運用サーバ１００において、公開部１３２は、貨幣要望として、ＡＴＭ５に装填又は回収する貨幣の額、要望の緊急度合い、ＡＴＭ５の設置場所又は報酬の額に関する情報を、登録者に公開する。
【００８９】
これにより、運用サーバ１００は、装填や回収といった取引の要望を登録者に対して明確に伝えることができるので、登録者に取引の実行を促すことができる。例えば、運用サーバ１００は、ＡＴＭ５の設置場所や報酬を明確に示すことで登録者にとって都合の良い取引を把握させることができるので、取引の成約率を高めることができる。また、運用サーバ１００は、貨幣を装填又は回収させる緊急度の高いＡＴＭほど高い報酬額を表示することで取引を成立させ易くすることができるので、ＡＴＭ５の装置内の貨幣量が枯渇または過剰状態になることを抑制することができる。
【００９０】
また、実施形態に係る運用サーバ１００において、付与部１３４は、運用サービスが有する口座から登録者の口座に報酬を入金する。これにより、運用サーバ１００は、取引を行なった登録者に対して報酬を与えることができるので、登録者が積極的に取引を行なうモチベーションを高めることができる。このため、運用サーバ１００は、ＡＴＭ５に貨幣を装填又は回収させる取引の成約率を高めることができるので、ＡＴＭ５の装置内の貨幣量が枯渇または過剰状態になることを抑制することができる。
【００９１】
また、実施形態に係る運用サーバ１００において、付与部１３４は、報酬として、ＡＴＭ５に装填又は回収した額に応じた手数料を登録者の口座に入金する。これにより、運用サーバ１００は、装填又は回収した額が多いほど高い報酬を登録者に付与することができるので、登録者が取引を行なうモチベーションを高めることができる。このため、運用サーバ１００は、ＡＴＭ５に貨幣を装填又は回収させる取引の成約率を高めることができる。また、運用サーバ１００は、貨幣を装填又は回収させる緊急度の高いＡＴＭほど取引を成立させ易くすることができるので、ＡＴＭ５の装置内の貨幣量が枯渇または過剰状態になることを抑制することができる。
【００９２】
〔２．変形例〕
上述した実施形態に係る運用サーバ１００は、上記実施形態以外にも種々の異なる形態にて実施されてよい。そこで、以下では、上記の運用サーバ１００の他の実施形態について説明する。
【００９３】
〔２−１．システム構成〕
上記の実施形態では、運用サーバ１００が装填又は回収すべきＡＴＭ５を判断して貨幣要望を公開し、報酬を登録者に付与する例を挙げて説明したが、各処理を運用サーバ１００に限らず他のサーバが実行してもよい。この点について、図２１を用いて説明する。
【００９４】
図２１は、変形例に係る運用システム全体の概略構成の一例を示す図である。具体的には、運用システム１は、図２１に示すように、ＡＴＭ５Ａ〜５Ｄと、運用サーバ１００と、監視サーバ２００と、Ｗｅｂサーバ３００と、金融機関ホスト１０Ａ〜１０Ｂとを有する。
【００９５】
ここで、運用サーバ１００は、ネットワークＮを介して、ＡＴＭ５から貨幣情報を受信する。そして、運用サーバ１００は、ＡＴＭ５から受信した貨幣情報を監視サーバ２００に転送する。
【００９６】
監視サーバ２００は、運用サーバ１００と連携し、ＡＴＭ５の資金状態を管理する。具体的には、監視サーバ２００は、運用サーバ１００から転送された貨幣情報に基づいて、ＡＴＭ５に貨幣を装填または回収する必要があるか判断する。そして、監視サーバ２００は、ＡＴＭ５に貨幣を装填または回収する必要があると判断した場合には、貨幣情報に基づいて貨幣要望を生成する。その後、監視サーバ２００は、生成した貨幣要望をＷｅｂサーバ３００に公開させる指示を送信する。
【００９７】
Ｗｅｂサーバ３００は、監視サーバ２００から貨幣要望を公開させる指示を受信した場合に、貨幣要望を表示した募集画面をＷｅｂ上に表示することで、運用サービスに予め登録された登録者に対して貨幣要望を公開する。また、Ｗｅｂサーバ３００は、貨幣要望に応じた登録者に対して手数料を付与する精算処理を実行する。
【００９８】
〔２−２．変形例の効果〕
上述してきたように、変形例に係る運用サーバ１００は、運用サーバ１００と、監視サーバ２００と、Ｗｅｂサーバ３００とを有する。これにより、運用システム１は、運用サーバ１００にかかる負荷を監視サーバ２００及びＷｅｂサーバ３００に分散することができる。また、運用システム１は、システム設計の自由度を増やすことができるので、最適なシステムの構成に設計することができる。
【００９９】
〔３．その他〕
また、上記実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。例えば、上記の入金処理や出金処理は、自動的に限らず、手動的に行われてもよい。この他、上記文書中や図面中で示した処理手順、具体的名称、各種のデータやパラメータを含む情報については、特記する場合を除いて任意に変更することができる。例えば、上記の会員情報は、「会員番号」、「メールアドレス」、「連絡先」、「口座番号」および「手数料」といったデータ項目に限らず、会員に関するその他の情報を含んでもよい。
【０１００】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。例えば、移動処理部１３３は、資金の移動先や移動元に応じて分散して構成してもよい。他の例では、移動処理部１３３及び付与部１３４は、指示部として統合してもよい。
【０１０１】
また、例えば、図３に示した会員情報記憶部１２１は、運用サーバ１００が保持せずに、ストレージサーバ等に保持されてもよい。この場合、運用サーバ１００は、ストレージサーバにアクセスすることで、会員に関する情報を取得する。
【０１０２】
また、運用サーバ１００は、公開処理や移動処理、付与処理は行わず、受信処理のみを行う運用サーバであってもよい。この場合、運用サーバは、公開部１３２、移動処理部１３３および付与部１３４を有しない。そして、公開部１３２を有する公開サーバが、運用サーバによって受信された貨幣情報に基づいてＡＴＭに貨幣を装填又は回収する要望を示す貨幣要望を、貨幣の運用を行なう運用サービスに登録された登録者に公開する。移動処理部１３３を有する移動処理サーバが、貨幣要望に応じて登録者がＡＴＭに装填又は回収した貨幣に対応する資金を、運用サービスを提供する運用業者の口座から登録者の口座に移動する処理を行なう。付与部１３４を有する付与サーバが、公開サーバによって公開された貨幣要望に応じてＡＴＭに貨幣を装填又は回収した登録者に対して報酬を付与する。
【０１０３】
［運用プログラム］
また、上記の実施例で説明した各種の処理は、あらかじめ用意されたプログラムをパーソナルコンピュータやワークステーションなどのコンピュータシステムで実行することによって実現することもできる。そこで、以下では、上記の実施例と同様の機能を有するプログラムを実行するコンピュータシステムの一例を説明する。図２２は、運用プログラムを実行するコンピュータを示す図である。
【０１０４】
図２２に示すように、コンピュータ１３００は、ＣＰＵ（Central  Processing  Unit）１３１０、ＨＤＤ（Hard  Disk  Drive）１３２０、ＲＡＭ（Random  Access  Memory）１３４０を有する。これら１３１０〜１３４０の各部は、バス１４００を介して接続される。
【０１０５】
ＨＤＤ１３２０には上記の運用サーバ１００の受信部１３１、公開部１３２、移動処理部１３３、付与部１３４および送信部１３５と同様の機能を発揮する運用プログラム１３２０ａが予め記憶される。なお、運用プログラム１３２０ａについては、適宜分離しても良い。
【０１０６】
また、ＨＤＤ１３２０は、各種情報を記憶する。例えば、ＨＤＤ１３２０は、ＯＳや算出処理に用いる各種データを記憶する。
【０１０７】
そして、ＣＰＵ１３１０が、運用プログラム１３２０ａをＨＤＤ１３２０から読み出して実行することで、実施例の各処理部と同様の動作を実行する。すなわち、運用プログラム１３２０ａは、運用サーバ１００の受信部１３１、公開部１３２、移動処理部１３３、付与部１３４および送信部１３５と同様の動作を実行する。
【０１０８】
なお、上記した運用プログラム１３２０ａについては、必ずしも最初からＨＤＤ１３２０に記憶させることを要しない。
【０１０９】
例えば、コンピュータ１３００に挿入されるフレキシブルディスク（ＦＤ）、ＣＤ−ＲＯＭ、ＤＶＤディスク、光磁気ディスク、ＩＣカードなどの「可搬用の物理媒体」にプログラムを記憶させておく。そして、コンピュータ１３００がこれらからプログラムを読み出して実行するようにしてもよい。
【０１１０】
さらには、公衆回線、インターネット、ＬＡＮ、ＷＡＮなどを介してコンピュータ１３００に接続される「他のコンピュータ（またはサーバ）」などにプログラムを記憶させておく。そして、コンピュータ１３００がこれらからプログラムを読み出して実行するようにしてもよい。
【０１１１】
以上、本願の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【０１１２】
また、上述した運用サーバ１００は、複数のサーバコンピュータで実現してもよく、また、機能によっては外部のプラットフォーム等をＡＰＩ（Application  Programming  Interface）やネットワークコンピューティングなどで呼び出して実現するなど、構成は柔軟に変更できる。
【０１１３】
また、特許請求の範囲に記載した「部（section、module、unit）」は、「手段」や「回路」などに読み替えることができる。例えば、受信部は、受信手段や受信回路に読み替えることができる。
【符号の説明】
【０１１４】
１  運用システム
５  ＡＴＭ
１０  金融機関ホスト
１００  運用サーバ
１２１  会員情報記憶部
１２２  貨幣情報記憶部
１２３  取引情報記憶部
１３１  受信部
１３２  公開部
１３３  移動処理部
１３４  付与部
１３５  送信部
【図１】
0006473051.tif 000002
【図２】
0006473051.tif 000003
【図３】
0006473051.tif 000004
【図４】
0006473051.tif 000005
【図５】
0006473051.tif 000006
【図６】
0006473051.tif 000007
【図７】
0006473051.tif 000008
【図８】
0006473051.tif 000009
【図９】
0006473051.tif 000010
【図１０】
0006473051.tif 000011
【図１１】
0006473051.tif 000012
【図１２】
0006473051.tif 000013
【図１３】
0006473051.tif 000014
【図１４】
0006473051.tif 000015
【図１５】
0006473051.tif 000016
【図１６】
0006473051.tif 000017
【図１７】
0006473051.tif 000018
【図１８】
0006473051.tif 000019
【図１９】
0006473051.tif 000020
【図２０】
0006473051.tif 000021
【図２１】
0006473051.tif 000022
【図２２】
0006473051.tif 000023